(57)【要約】【課題】身体への磁気効果を確保しつつ部品点数を削減することのできる磁気治療器具を提供する。【解決手段】磁性体１４と樹脂とからなり、可撓性を有する長尺な磁性部１０と、前記磁性部１０の一方端にプレス成型によって当該磁性部１０と一体に形成された樹脂からなる係止部５０と、前記磁性部１０の他方端にプレス成型によって当該磁性部１０と一体に形成された樹脂からなる被係止部３０と、前記被係止部３０に設けられて、前記係止部５０に着脱可能に係止される被係合部材４０とを設け、前記係止部５０と前記被係合部材４０との係合によってリング状となるよう構成する。【選択図】図１
2009018060.tif 000002
【特許請求の範囲】
【請求項１】
ネックレス等に用いられて身体に血行促進作用を及ぼす磁気治療器具において、
磁性体と樹脂とからなり、可撓性を有する長尺な磁性部と、
前記磁性部の一方端にプレス成型によって当該磁性部と一体に形成された樹脂からなる係止部と、
前記磁性部の他方端にプレス成型によって当該磁性部と一体に形成された樹脂からなる被係止部と、
前記被係止部に設けられて、前記係止部に着脱可能に係止される被係合部材とを備え、
前記係止部と前記被係合部材との係合によってリング状となることを特徴とする磁気治療器具。
【請求項２】
請求項１に記載の磁気治療器具であって、
前記磁性体は、当該磁性体が前記磁性部の外周面に露出しないように、前記磁性部を構成する樹脂で囲まれた状態で配置されていることを特徴とする磁気治療器具。
【請求項３】
請求項１または２に記載の磁気治療器具であって、
前記被係合部材は、前記被係止部の端面から外側に向かって突出する形状を有し、
前記係止部には、当該係止部の端面に開口し前記被係合部材と係合可能な係止孔が形成されていることを特徴とする磁気治療器具。
【請求項４】
請求項１〜３のいずれかに記載の磁気治療器具であって、
前記磁性部、前記係止部および前記被係止部を構成する前記樹脂が、互いに同一のシリコーン樹脂であることを特徴とする磁気治療器具。
【請求項５】
請求項１〜３のいずれかに記載の磁気治療器具であって、
前記磁性部、前記係止部および前記被係止部を構成する前記樹脂が、互いに同一のウレタンゴムまたはニトリルブタジエンラバーであることを特徴とする磁気治療器具。
【請求項６】
請求項１〜５のいずれかに記載の磁気治療器具を製造する方法であって、
前記磁性部と前記被係止部と前記係止部とに対応する上型と下型とを備えた金型を用い、
前記金型の前記磁性部に対応する部分に、当該磁性部を構成する樹脂をセットし、前記金型の前記被係止部に対応する部分に、当該被係止部を構成する樹脂をセットするとともに、前記金型の前記係止部に対応する部分に、当該係止部を構成する樹脂をセットする樹脂セット工程と、
前記金型のうち少なくとも前記磁性部に対応する部分にセットされた前記樹脂に、前記磁性体を投入する磁性体投入工程と、
前記金型にセットされた樹脂を当該金型によってプレス成型し、前記磁性部と前記被係止部と前記係止部とを一体に形成するプレス成型工程とを含むことを特徴とする磁気治療器具製造方法。
【請求項７】
請求項６に記載の磁気治療器具製造方法であって、
前記上型あるいは下型の前記被係止部に対応する部分にセットされた前記樹脂に前記被係合部材を埋め込む被係合部材埋め込み工程を含み、
前記プレス成型工程にて、前記被係合部材がセットされた状態で前記樹脂をプレス成型することを特徴とする磁気治療器具製造方法。
【発明の詳細な説明】
【技術分野】
【０００１】
本発明は、血行促進作用等を有する磁気治療器具およびその製造方法に関する。
【背景技術】
【０００２】
従来、磁気を身体に作用させると血行が促進されて健康上良好な効果が得られるといわれており、この効果を得るための種々の健康器具が開発されている。
【０００３】
例えば、特許文献１には、ゴム磁石とこのゴム磁石を覆うポリウレタン層とからなる磁性部と、シリコーン樹脂からなり前記磁性部が内側に挿嵌されることでこの磁性部の両端にそれぞれ固定された係止部および被係止部とを備えたものが開示されている。この器具では、前記係止部と被係止部とが係合することによってリング状になるように構成されており、ネックレス等として使用されることで前記磁性部のゴム磁石を使用者の身体に作用させ、使用者の血行を促進させる。
【特許文献１】特開２００７−１１１３２２号公報
【発明の開示】
【発明が解決しようとする課題】
【０００４】
前記のような従来の器具では、前記係止部と被係止部と前記磁性部とを個別に形成せねばならず部品点数が多くなるとともに、これら係止部と被係止部とを前記磁性部に挿嵌・固着せねばならず取り付け等に手間がかかるという問題がある。
【０００５】
本発明は、かかる事情に鑑み、身体への磁気効果を確保しつつ構造を簡素化して部品点数の削減等を行うことのできる磁気治療器具の提供を目的とする。
【課題を解決するための手段】
【０００６】
前記課題を解決するための請求項１に係る発明は、ネックレス等に用いられて身体に血行促進作用を及ぼす磁気治療器具において、磁性体と樹脂とからなり、可撓性を有する長尺な磁性部と、前記磁性部の一方端にプレス成型によって当該磁性部と一体に形成された樹脂からなる係止部と、前記磁性部の他方端にプレス成型によって当該磁性部と一体に形成された樹脂からなる被係止部と、前記被係止部に設けられて、前記係止部に着脱可能に係止される被係合部材とを備え、前記係止部と前記被係合部材との係合によってリング状となることを特徴とするものである（請求項１）。
【０００７】
本発明によれば、部品点数を削減しつつ身体への血行促進作用を確保することが可能となる。すなわち、本発明では、前記磁性部に磁性体が含まれており、この磁性体によって身体への血行促進作用が確保される。また、前記磁性部と前記被係止部と前記係止部とがそれぞれ樹脂を含み、互いに一体にプレス成型されているので、従来のように、磁性部と被係止部と係止部とを個別に形成する場合に比べて、部品点数を削減することができるとともに組み付け等の手間を軽減することが可能となる。
【０００８】
また本発明において、前記磁性体は、当該磁性体が前記磁性部の外周面に露出しないように、前記磁性部を構成する樹脂で囲まれた状態で配置されているのが好ましい（請求項２）。
【０００９】
このようにすれば、磁気治療器具を直接肌に接触させた場合に、磁性体と皮膚とが直接接触するのが回避され、前記磁性部が皮膚に与える悪影響をより確実に抑制することが可能となる。
【００１０】
前記被係合部材と前記被係止部との係合構造は、特に限定されるものではないが、例えば、前記被係合部材を前記係止部の端面から外側に向かって突出する形状とし、前記被係止部に、当該被係止部の端面に開口し前記被係合部材と係合可能な被係止孔を形成して、この被係合部材と前記被係止孔とを係合する構造が挙げられる（請求項３）。
【００１１】
また、前記磁性部、前記係止部および前記被係止部を構成する前記樹脂が、互いに同一のシリコーンゴムであるのが好ましい（請求項４）。
【００１２】
このように、前記磁性部、係止部および被係止部が同一の樹脂で構成されていれば、より容易にこれらを一体に成型することができる。さらに、前記シリコーンゴムは生理的に安定しているため、前記磁性部、係止部および被係止部をこのシリコーン樹脂で構成すれば、前記磁性部等が直接肌と接触する場合であっても、皮膚に与える悪影響をより抑制することが可能となる。
【００１３】
一方、前記磁性部、前記係止部および前記被係止部を、耐摩耗性および強度が比較的高いウレタンゴムまたはニトリルブタジエンラバーで構成すれば、本磁気治療器具の損傷を抑制することができ、耐久性を向上させることができる（請求項５）。
【００１４】
また、前記のような磁気治療器具を製造する方法としては、前記磁性部と前記被係止部と前記係止部とに対応する上型と下型とを備えた金型を用い、前記金型の前記磁性部に対応する部分に、当該磁性部を構成する樹脂をセットし、前記金型の前記被係止部に対応する部分に、当該被係止部を構成する樹脂をセットするとともに、前記金型の前記係止部に対応する部分に、当該係止部を構成する樹脂をセットする樹脂セット工程と、前記金型のうち少なくとも前記磁性部に対応する部分にセットされた前記樹脂に、前記磁性体を投入する磁性体投入工程と、前記金型にセットされた樹脂を当該金型によってプレス成型し、前記磁性部と前記被係止部と前記係止部とを一体に形成するプレス成型工程とを含むことを特徴とする磁気治療器具製造方法を用いるのが好ましい（請求項６）。
【００１５】
このような方法によれば、前記磁性部に前記係止部および前記被係止部を容易に一体化することができるとともに、前記磁性部に前記磁性体を容易に含ませることが可能となる。
【００１６】
ここで、前記被係合部材を前記被係止部に設ける方法としては、前記プレス成型工程後に前記被係合部材を前記被係止部に装着するものでもよいが、前記上型あるいは下型の前記被係止部に対応する部分にセットされた樹脂に前記被係合部材を埋め込む被係合部材埋め込み工程を行い、前記プレス成型工程にて、前記被係合部材が埋め込まれた状態で前記樹脂をプレス成型するようにすれば、前記被係合部材を前記被係止部に容易に取り付けることが可能となり、組み付け等の手間を削減することが可能となる（請求項７）。
【発明の効果】
【００１７】
以上説明したように、本発明によれば、磁気作用を身体に作用させることができるとともに構造および製造工程を簡素化することのできる磁気治療器具を提供することができる。
【発明を実施するための最良の形態】
【００１８】
以下、本発明の好ましい実施の形態について図面を参照して説明する。ここでは、本発明に係る磁気治療器具を磁気ネックレスとして利用する場合について説明する。
【００１９】
図１は本発明に係る磁気治療器具すなわち磁気ネックレスの正面図である。
【００２０】
本磁気ネックレス１は、磁性部１０と、被係止部３０と、被係止突起（被係合部材）４０と、係止部５０とを有している。
【００２１】
前記磁性部１０は、使用者の首周りに装着されることによって使用者の身体、特に肩周辺に磁気を作用させるものである。本実施形態１０では、シリコーンゴム（樹脂）２００に複数の磁石（磁性体）１４が埋め込まれることにより前記磁性部１０が構成されており、前記磁石１４が使用者の身体に磁気を作用させる。
【００２２】
前記磁石１４は、図１に示すように、本磁気ネックレス１が後述する係止部５０および被係止部３０を前方として首周りに装着された際に、使用者の肩近傍に位置するように配置されている。本実施形態では、粒状を有する７個の磁石１４が、使用者の両肩間にわたる位置に互いに等間隔に並べられており、磁気が効果的に使用者の肩等に作用するようになっている。この磁石１４の種類は、特に限定されるものではないが、比較的磁気の強いネオジウム磁石等の希土類磁石を用いるのが好ましい。
【００２３】
また、前記磁性部１０は、前記シリコーンゴム２００が有する弾性により全体として可撓性を有しており、運動中等でも身体を傷つけるおそれがなく使用できるようになっている。さらに、この磁性部１０では、その外周面が前記シリコーンゴム２００で構成されるように、前記磁石１４が前記シリコーンゴム２００に囲まれた状態でこのシリコーンゴム２００内に埋め込まれている。ここで、前記シリコーンゴム２００は、他の合成樹脂等に比べて生理的に安定しており、身体への悪影響が比較的小さいと言われている。そのため、本磁気ネックレス１が直接肌に接触するように使用される場合において、生理的に安定したシリコーンゴム２００が皮膚と接触することになるので、使用者の肌への悪影響が抑制される。
【００２４】
前記被係止部３０は、後述する被係止突起４０を保持するものである。この被係止部３０は、シリコーンゴム２００からなり、前記磁性部１０の一方端にこの磁性部１０と一体にプレス成型されている。
【００２５】
前記被係止突起４０は、後述する係止部５０の係止孔５１と係合することで、本磁気ネックレス１をリング状に保持するためのものである。この被係止突起４０は、固定板４２と、この固定板４２の端面から延びる軸部４４と、この軸部４４の先端に設けられる球状端部４６とを有している。ここで、前記固定板４２は前記軸部４４よりも十分に大きな外径を有する板状部材であり、前記球状端部４６は、前記軸部４４の外径よりも大きな外径を有する略半球状部材である。これら固定板４２と軸部４４と球状端部４６とは互いに一体に形成されており、例えば、硬質エラストマー、ポリアセタールからなる。そして、この被係止突起４０は、前記固定板４２と前記軸部４４の一部が前記被係止部３０の内側に収容されることで、この被係止部３０の端面から前記軸部４４の一部が突出した状態で、前記被係止部３０に保持される。
【００２６】
前記係止部５０は、前記被係止突起４０を係止するためのものである。この係止部５０は、シリコーンゴム２００からなり、前記磁性部１０の端部のうち前記被係止部３０が設けられる部分と反対側の端部に、プレス成型によりこの磁性部１０と一体に形成されている。この係止部５０には、前記磁性部１０と反対側の端面に開口する係止孔５１が形成されている。そして、この係止部５０は、前記被係止突起４０と前記係止孔５１とが係合することで、この被係止突起４０を係止する。
【００２７】
具体的には、前記係止孔５１は、前記係止部５０の端面に開口する入り口部５２と、この入り口部よりも深い位置に設けられた狭小部５４と、この狭小部５４よりも深い位置に設けられた係合孔５６とからなる。前記狭小部５４の内径は、前記係止突起４０の軸部４４の外径よりも大きく、かつ、前記係止突起４０の球状端部４６の外径よりも小さく設定されている。一方、前記入り口部５２の外径および前記係合孔５６の外径は前記係止突起４０の球状端部４６の外径よりも大きくなっている。
【００２８】
そして、前記係止部５０は、図３に示すように、被係止突起４０の球状端部４６が前記係止孔５１の狭小部５４を押し広げつつ前記係合孔５６内に挿入されることで、前記狭小部５４と前記係合孔５６との段部により前記球状端部４６を抜け止め状態とし、この被係止突起４０を係止する。
【００２９】
ここで、前述のように、前記狭小部５４の内径は、前記被係止突起４０の球状端部４６を抜け止め状態にすべくこの球状端部４６の外径よりも小さく設定されているが、前記被係止突起４０に比較的小さな力をかけることで前記抜け止め状態を解除できるような大きさに設定されている。すなわち、本磁気ネックレス１では、前記被係止突起４０が前記係止部５０に対して容易に着脱可能となっており、この磁気ネックレス１の装着および脱着が容易に行えるように構成されている。
【００３０】
次に、本磁気ネックレス１の製造方法について説明する。図４は、この磁気ネックレス１を成型するための金型１００の概略正面図である。具体的には、この金型１００は互いに対称な上型１０２と下型１０４とからなり、図４は、下型１０４の概略正面図である。図５および図６は、前記図４の部分拡大断面図である。
【００３１】
前記金型１００には、前記磁性部１０に対応する磁性部溝１１０と、前記被係止部３０に対応する被係止部溝１３０と、前記係止部５０に対応する係止部溝１５０とが形成されている。また、この金型１００には、前記被係止部溝１３０に連設されて、前記被係止突起４０をこの被係止部溝１３０とにわたって設置するための被係止突起設置用溝１４０が形成されている。さらに、この金型１００には、前記係止部５０の係止孔５１の内形と対応する外形を有する係止部用金具１５１が設けられている。
【００３２】
前記のように構成された金型１００を用いた前記磁気ネックレス１の製造方法は以下の工程を含む。
【００３３】
１）樹脂セット工程
この工程は、前記金型１００にペースト状のシリコーンゴム２００をセットする工程である。この工程では、前記上型１０２および下型１０４の各磁性部溝１１０、各被係止部溝１３０、各係止部溝１５０全体に同時にシリコーンゴム２００をセットする。ここで、前記係止部用金具１５１は、前記係止部溝１５０にシリコーンゴム２００がセットされる前に、予め前記下型１０４の係止部溝１５０に設置されており、前記係止部５０の係止孔５１に対応する部分には前記シリコーンゴム２００が入り込まないようになっている。前記シリコーンゴム２００は例えばミラブル型シリコーンゴムを用いればよい。
【００３４】
２）被係合部材埋め込み工程
この工程は、前記被係止突起４０を前記シリコーンゴム２００に埋め込む工程である。この工程では、図７に示すように、予め形成された被係止突起４０を前記被係止突起設置用溝１４０に沿って配置し、この被係止突起４０の前記固定部４６と前記軸部４４の一部とを前記シリコーンゴム２００がセットされた被係止部溝１３０に埋め込む。このとき、前記被係止突起４０は、その前記軸部４４が前記被係止部溝１３０から外側に突出するように配置される。
【００３５】
３）磁性体投入工程
この工程は、前記磁石１４を前記シリコーンゴム２００がセットされた磁性部溝１１０に配置する工程である。この工程では、図８に示すように、前記磁石１４を前記下型１０４の磁性部溝１１０にセットされたシリコーンゴム２００へ、互いに等間隔に埋め込んでいく。このとき、各磁石１４は、各磁石１４と下型１０４の磁性部溝１１０との間にシリコーンゴム２００が介在する位置に配置される。
【００３６】
４）プレス成型工程
この工程は、前記シリコーンゴム２００をプレス成型する工程である。この工程では、図９に示すように、前記被係止突起１４０と前記磁石１４とが埋め込まれた状態のシリコーンゴム２００を収容している下型１０４と、シリコーンゴム２００がセットされた上型１０２とを合わせて、加熱および加圧する。例えば、１６０℃の温度下で８．５ｔの圧力を加える。
【００３７】
このように加熱および加圧されると、前記磁性部溝１１０では、前記磁石１４が内側に収容された状態で上型１０２のシリコーンゴム２００と下型１０４のシリコーンゴム２００とが一体化され、前記磁性部１０が形成される。また、前記被係止部溝１３０では、前記被係止突起４０が内側に収容された状態で上型１０２のシリコーンゴム２００と下型１０４のシリコーンゴム２００とが一体化され、前記被係止突起４０を保持した状態の前記被係止部３０が形成される。そして、前記係止部溝１５０では、前記係止部用金具１５１の一部が内側に収容された状態で上型１０２のシリコーンゴム２００と下型１０４のシリコーンゴム２００とが一体化され、前記係止部５０が形成される。このとき、前記係止部５０および前記被係止部３０は、同時に前記磁性部１０に一体的に成型される。
【００３８】
５）仕上工程
この工程は、余分なシリコーンゴム２００等を取り除き、前記磁気ネックレス１の形を整える工程である。この工程では、前記プレス成型工程時に金型１００の各溝の周囲に押出された余分なシリコーンゴム２００を排除する。さらに、前記係止部用金具１５１を前記係止部５０から取り除く。この係止部用金具１５１は、前述のように前記係止部５０の係止孔５１と対応する形状を有しているので、この係止部用金具１５１を取り除くと前記係止部５０には前記係止孔５１が形成される。
【００３９】
このようにして、前記磁石１４を含みシリコーンゴム２００からなる磁性部１０と、この磁性部１０と一体化された前記被係止部３０と係止部５０とを備えるとともに、前記係止突起４０が前記被係止部３０に保持され、かつ、前記係止部５０に前記係止孔５１が形成された磁気ネックレス１が形成される。
【００４０】
以上のように、本磁気ネックレス１によれば、前記磁性部１０がシリコーンゴム２００を含むとともに、前記係止部５０と前記被係止部３０とがシリコーンゴム２００で構成されており、これら係止部５０と被係止部３０とがプレス成型により前記磁性部１０の両端にこの磁性部１０と一体に形成されているので、前記係止部５０と被係止部３０とを前記磁性部１０と別に形成する必要がなく部品点数を削減することが可能となる。また、前記係止部５０と被係止部３０とを前記磁性部１０に組み付ける手間を省くことが可能となり、コスト面等で有利となる。もちろん、前記磁性部１０が磁石１４を含んでおり、この磁石１４が身体に磁気を作用させるので、この磁気による身体への血行促進作用は確保されている。
【００４１】
また、前記のように、前記磁石１４が前記磁性部１０の外周面に露出しないように、前記シリコーンゴム２００で囲まれた状態で配置されていれば、前記磁気ネックレス１を直接肌に接触させた場合において、生理的に安定しているシリコーンゴム２００と皮膚とが接触することになるので、前記磁性部１０が皮膚に与える悪影響がより確実に抑制される。
【００４２】
ここで、前記シリコーンゴム２００の代わりにウレタンゴムやニトリルブタジエンラバーを用いてもよい。このウレタンゴムやニトリルブタジエンラバーは耐磨耗性および強度が高いので、これらの材料を用いれば、磁気ネックレス１の損傷が抑制され、耐久性が向上する。もちろん、これらシリコーンゴム、ウレタンゴム、ニトリルブタンジエンラバーの代わりに、他の合成樹脂あるいは天然樹脂を用いてもよい。
【００４３】
また、前記磁気ネックレス１を製造する方法として、前記のような方法を用いれば、前記樹脂セット工程にて、前記磁性部１０、前記係止部５０、前記被係止部３０全体に容易にシリコーンゴム２００を配置することができるとともに、前記プレス成型工程にて前記磁性部１０と前記係止部５０と前記被係止部３０とを容易に一体化することができる。また、前記磁性体投入工程にて前記磁石１４を容易に所定の位置に配置することができる。
【００４４】
ここで、前記被係止部３０が成型された後に、前記被係止突起４０をこの被係止部３０に装着するようにしてもよいが、前述のように、被係合部材埋め込み工程にて、前記被係止突起４０を埋め込んだ後に、前記プレス工程を実施すれば、この被係止突起４０を前記被係止部３０に容易に保持させることが可能となり、別途被係止突起４０を被係止部３０に取り付ける手間を省くことができる。
【００４５】
また、前記製造方法において、前記係止部用金具１５１に代えて、プレス成型時に蒸発消滅するような部材を用いるようにしてもよい。このようにすれば、前記係止部用金具１５１を取り外す手間が削減される。
【００４６】
また、前記被係合部材埋め込み工程の前に前記磁性体投入工程を実施してもよい。
【００４７】
また、本発明に係る磁気治療器具は、前記のように首周りに装着する磁気ネックレス以外にも適宜利用可能である。
【００４８】
また、前記係止部５０、被係止部３０、前記被係止突起４０の具体的な構造、および、前記磁石１４の配置等は前記に限らない。また、前記被係止突起５０の材質等は前記に限らない。また、前記プレス成型工程における圧力等は前記に限らない。また、前記磁石１４に代えて磁性粉等をシリコーンゴムに混入するようにしてもよい。
【００４９】
また、前記磁性部１０と係止部５０と被係止部３０とを個別の樹脂で構成するようにしてもよい。この場合には、前記樹脂セット工程にて、前記金型１００の各部に対応する部分にそれぞれの樹脂をセットすればよい。
【図面の簡単な説明】
【００５０】
【図１】本発明に係る磁気ネックレス（磁気治療器具）の正面図である。
【図２】図１に示す磁気ネックレスの部分拡大図である。
【図３】図１に示す磁気ネックレスの部分拡大図である。
【図４】図１に示す磁気ネックレスを成型する金型の概略上面図である。
【図５】図４に示す金型の部分拡大断面図である。
【図６】図４に示す金型の部分拡大断面図である。
【図７】図１に示す磁気ネックレスを成型する方法を説明するための説明図である。
【図８】図１に示す磁気ネックレスを成型する方法を説明するための説明図である。
【図９】図１に示す磁気ネックレスを成型する方法を説明するための説明図である。
【符号の説明】
【００５１】
１  磁気ネックレス（磁気治療器具）
１０  磁性部
１４  磁石（磁性体）
３０  被係止部
４０  被係止突起（被係合部材）
５０  係止部
５１  係止孔
１００  金型
１１０  磁性部溝
１３０  被係止部溝
１４０  被係止突起設置用溝
１５０  係止部溝
１５１  被係止突起用金具
２００  シリコーンゴム（樹脂）
【図１】
2009018060.tif 000003
【図２】
2009018060.tif 000004
【図３】
2009018060.tif 000005
【図４】
2009018060.tif 000006
【図５】
2009018060.tif 000007
【図６】
2009018060.tif 000008
【図７】
2009018060.tif 000009
【図８】
2009018060.tif 000010
【図９】
2009018060.tif 000011